(57)【特許請求の範囲】
【請求項１】
着座者の荷重を受ける荷重支持面が形成された張材と、
左右方向に対をなして設けられ、前記張材が取り付けられ、該張材から作用する力に応じて弾性変形可能な一対の支持部と、
前記一対の支持部の両端部どうしをそれぞれ連結する連結部と、
前記一対の支持部に対して前記荷重支持面側と反対側に、前記荷重支持面の面直方向に離間して配置されるとともに、前記支持部の延在方向に沿う第一補強部と、
前記支持部の両端部側と前記第一補強部の両端部側とをそれぞれ連結する連結体と、を備え、
前記支持部は、前記荷重支持面側から該荷重支持面を前記面直方向視して前記第一補強部よりも外側に配置されるとともに、前記第一補強部と離間して配置されていることを特徴とする座体。
【請求項２】
前記支持部は、前記面直方向を厚さ方向とする板状に形成されていることを特徴とする請求項１に記載の座体。
【請求項３】
前記支持部は、対をなすもう一方の前記支持部側に向かうにしたがって、前記面直方向の厚みが薄くなるように形成されている請求項１または２に記載の座体。
【請求項４】
前記一対の支持部と対応した前記第一補強部の両端部どうしを連結し、前記連結部を支持する第二補強部を、備えることを特徴とする請求項１から３のいずれか一項に記載の座体。
【請求項５】
床面に設置される支持体と、
該支持体に支持され、請求項１から４のいずれか一項に記載の座体、を備えることを特徴とする椅子。
【発明の詳細な説明】
【技術分野】
【０００１】
本発明は、座体及び椅子に関するものである。
【背景技術】
【０００２】
従来から、強度部材としての枠部材と、面直方向からの荷重に対して弾性抵抗力（反発力）を有する張材と、を備えた背凭れ部材や座部材等の椅子用荷重支持構造体が一般的に知られている。
例えば、特許文献１に記載のように、枠状をなす締付枠に、枠状をなす座フレームが固定され、締付枠と座フレームとの固定部分にネット部材の端部が巻き込まれた椅子が知られている。締付枠と座フレームとの固定部分は、それぞれに凹凸を設けて互いに嵌合されるとともに、螺子止めされる構成である。
【０００３】
このような構成では、締付枠と座フレームとの固定部分は、互いに嵌合され螺子止めされることにより、強固に固定されている。このため、枠部材に張設された張材のみが面直方向に変位し、締付枠や座フレーム等の枠部材自体が着座者の荷重に対して十分に変形せず、着座者の身体に沿って安定的に支持することができなかった。また、着座者の荷重が張材の中心から偏心した位置に作用した場合には、枠部材が着座者の身体に接触して痛みを感じたり、不快に感じたりする可能性があった。
【０００４】
そこで、特許文献２に記載のように、張り材と、張り材が取り付けられ張り材から作用する力に応じで弾性変形可能な一対の縦枠部と、一対の縦枠部の上端部どうしを連結する上枠部と、上枠部と縦枠部の下部とを連結支持する背凭れ後部支持部材と、を備え、縦枠部と背凭れ後部支持部材とは側面視で環状に形成された椅子が提案されている。この構成では、縦枠部と背凭れ後部支持部材との間には前後方向に空間が形成されているため、着座者からの荷重が張り材に作用すると、弾性変形可能な縦枠部は着座者の背に追従するように大きく後方に変形する。
【先行技術文献】
【特許文献】
【０００５】
【特許文献１】特許第４０６１１６０号公報
【特許文献２】特開２０１４-７９５１０号公報
【発明の概要】
【発明が解決しようとする課題】
【０００６】
しかしながら、上記の特許文献２に記載の構成では、縦枠部のような張材が取り付けられた支持部を支持する背凭れ後部支持部材は、背凭れの幅方向の中央に配置されているため、大きな荷重が幅方向の端部側に作用すると縦枠部が大きく後方に変位し過ぎてしまう可能性がある。このため、縦枠部等の枠部材が柔軟に変形しつつ、安定した着座感が望まれている。
【０００７】
本発明は、上記事情に鑑みてなされたものであり、張材が取り付けられた支持部の弾性変形を許容しつつ、過剰な変位を抑制することができる座体及び椅子を提供するものである。
【課題を解決するための手段】
【０００８】
上記目的を達成するために、本発明は以下の手段を採用している。
すなわち、本発明に係る座体は、着座者の荷重を受ける荷重支持面が形成された張材と、左右方向に対をなして設けられ、前記張材が取り付けられ、該張材から作用する力に応じて弾性変形可能な一対の支持部と、前記一対の支持部の両端部どうしをそれぞれ連結する連結部と、前記一対の支持部に対して前記荷重支持面側と反対側に、前記荷重支持面の面直方向に離間して配置されるとともに、前記支持部の延在方向に沿う第一補強部と、前記支持部の両端部側と前記第一補強部の両端部側とをそれぞれ連結する連結体と、を備え、前記支持部は、前記荷重支持面側から該荷重支持面を前記面直方向視して前記第一補強部よりも外側に配置されるとともに、前記第一補強部と離間して配置されていることを特徴とする。
【０００９】
このように構成された座体では、支持部は第一補強部と面直方向に離間して配置されている。よって、支持部は、着座者から作用する荷重により、当該面直方向の距離に対応して、着座者の身体に追従するように弾性変形する。また、支持部は荷重支持面側から荷重支持面を面直方向視して第一補強部よりも外側に配置されているため、支持部は張材に引っ張られて荷重支持面の中央側に変位するとともに着座者の身体側に立ち上がり身体を側方から包み込むように変位する。したがって、着座者は、安定した状態で着座することができる。
また、着座者が張材の荷重支持面の中央からずれた位置に着座しても、支持部自体が弾性変形して撓むため、支持部自体の硬さを感じて不快感を呈することがない。
また、支持部の両端部側はそれぞれ、該支持部に沿って配置された第一補強部の両端部側と連結体で連結されている。よって、支持部は、延在方向にわたって第一補強部で支持されるため、過剰な変位が抑制される。
また、一対の支持部の両端部どうしは連結部で連結されているため、支持部の過剰な変位がより一層抑制される。
【００１０】
また、本発明に係る座体では、前記支持部は、前記面直方向を厚さ方向とする板状に形成されていることが好ましい。
【００１１】
このように構成された座体では、支持部は面直方向を厚さ方向とする板状に形成されているため、支持部自体が荷重支持面に沿って変形しやすい。よって、支持部は張材に引っ張られて、着座者の身体側に立ち上がり身体を側方から包み込むように、一層変位しやすい。
【００１２】
また、本発明に係る座体では、前記支持部は、対をなすもう一方の前記支持部側に向かうにしたがって、前記面直方向の厚みが薄くなるように形成されていてもよい。
【００１３】
このように構成された座体では、支持部は対をなすもう一方の支持部側に向かうにしたがって面直方向の厚みが薄くなるように形成されている。よって、支持部において、もう一方の支持部側（内縁側）では張材に引っ張られて荷重の入力方向に変位するとともに、反対側（外縁側）では内縁側の変位にともなって立ち上がる方向に変位しやすい。
【００１６】
また、本発明に係る座体は、前記一対の支持部と対応した前記第一補強部の両端部どうしを連結し、前記連結部を支持する第二補強部を、備えていてもよい。
【００１７】
このように構成された座体では、連結部を支持する第二補強部が設けられているため、連結部を強固に補強することができる。よって、着座者からの荷重により、連結部の撓みを抑えつつ、連結部に連結された支持部を確実に撓ませることができる。
また、第一補強部及び第二補強部により環状に形成されるため、剛性が高められ、支持部を安定的に支持することができる。
【００１８】
また、本発明に係る椅子は、床面に設置される支持体と、該支持体に支持され、上記のいずれか一に記載の座体、を備えることを特徴とする。
【００１９】
このように構成された椅子では、座体及び背凭れの少なくとも一方は、上記のいずれか一に記載の座体で構成されているため、支持部の弾性変形を許容しつつ、過剰な変位を抑制することができる。
【発明の効果】
【００２０】
本発明に係る座体及び椅子によれば、張材が取り付けられた支持部の弾性変形を許容しつつ、過剰な変位を抑制することができる。
【図面の簡単な説明】
【００２１】
【図１】本発明の一実施形態に係る椅子を側方から見た斜視図である。
【図２】本発明の一実施形態に係る椅子を後方（背凭れ側）から見た斜視図である。
【図３】本発明の一実施形態に係る椅子の座体を左右方向に沿って切断した鉛直断面図である。
【図４】本発明の一実施形態に係る椅子の座体を前後方向に沿って切断した鉛直断面図である。
【図５】本発明の一実施形態に係る椅子の座体を前後方向に沿って切断した鉛直断面図であり、図４よりも座体の左右方向の外側で切断している。
【図６】図２のＡ−Ａ断面図である。
【図７】図２のＢ−Ｂ断面図である。
【発明を実施するための形態】
【００２２】
以下、本発明の一実施形態に係る椅子について、図面を参照して説明する。
図１は、本発明の一実施形態に係る椅子を側方から見た斜視図である。図２は、本発明の一実施形態に係る椅子を後方（背凭れ側）から見た斜視図である。
【００２３】
図１及び図２に示すように、椅子１００は、床面Ｆ上に設置される脚部１と、脚部１の上部に設置される不図示のボックス状の支基２と、支基２の上部に取り付けられた座受け部材３と、座受け部材３にスライド可能に支持され着座者が着座する座体（椅子用荷重支持構造体）４と、支基２から延び座体４に着座した着座者の背中を支持する背凭れ（椅子用荷重支持構造体）７と、を備えている。
以下の説明において、便宜上、座体４に着座した着座者が前を向く方向を「前方」、その反対方向を「後方」と称する。また、椅子１００が設置される床面Ｆ側とその反対側を結ぶ方向を「上下方向」と称する。また、椅子１００の幅方向、つまり前後方向と直交する水平方向を「左右方向」と称する。また、図中において、前方を矢印ＦＲで示し、上方を矢印ＵＰで浸みし、左方を矢印ＬＨで示す。
【００２４】
脚部１は、キャスタ１１Ａ付きの多岐脚１１と、多岐脚１１の中央部より起立し昇降機構であるガススプリング（不図示）を内蔵する脚柱１２と、を有している。
【００２５】
脚柱１２の下部を構成する外筒１３は、多岐脚１１に回転不能に嵌合して支持されている。脚柱１２の上部を構成する内筒１４は、上端部に支基２を固定して支持するとともに、下部が外筒１３に水平方向で回転可能に支持されている。
【００２６】
支基２には、脚柱１２の昇降調整機構と背凭れ７の傾動調整機構が内蔵されている。
【００２７】
座受け部材３は、支基２の上部に取り付けられた４本のリンクアーム（不図示。以下同じ。）と、リンクアームどうしを連結する左右一対の固定フレーム３１（図３に示す破線参照）と、を有している。
本実施形態では、脚部１、支基２及び座受け部材３が支持体３０を構成している。
【００２８】
座体４は、座フレーム４０と、座フレーム４０に張設され弾性変形可能な張材６０と、を有している。張材６０の上面は、着座者の荷重を受ける荷重支持面６０Ｕとされている。
【００２９】
図３は、椅子１００の座体４を左右方向に沿って切断した鉛直断面図である。図４は、椅子１００の座体４を前後方向に沿って切断した鉛直断面図である。図５は、椅子１００の座体４を前後方向に沿って切断した鉛直断面図である。図５は、図４よりも座体４の左右方向の外側で切断した断面図である。図３から図５において、張材６０の図示を省略している。
図３から図５に示すように、座フレーム４０は、固定フレーム３１に支持された座下枠４０Ｄと、座下枠４０Ｄの上面に固定された座上枠５０Ｕと、を有している。座下枠４０Ｄ及び座上枠５０Ｕは、それぞれ環状に形成されている。
【００３０】
座下枠４０Ｄは、一対の固定フレーム３１にそれぞれスライド可能に設けられた第一座補強杆（第一補強部）４１と、第一座補強杆４１の両端部４１Ｅどうしを連結する第二座補強杆（第二補強部）４２と、を有している。第一座補強杆４１と第二座補強杆４２とは、例えば樹脂等で一体として形成され、所定の強度を有している。
【００３１】
図３に示すように、第一座補強杆４１は、前後方向に沿って延びている。第一座補強杆４１は、荷重支持面６０Ｕ（図１参照。以下同じ。）と直交する面直方向に沿った断面において、下向きコ字状をなす形状をしている。換言すると、第一座補強杆４１の下部には上向きに凹む凹部４１Ｃが形成されている。凹部４１Ｃ内に、固定フレーム３１が配置されている。
【００３２】
第一座補強杆４１の両端部４１Ｅは、前後方向の中央側の部分よりも左右方向の幅が広く形成されている。第一座補強杆４１の両端部４１Ｅは、先端側に向かうにしたがって次第に上方に向かって傾斜している。
【００３３】
図４に示すように、第二座補強杆４２は、左右方向に沿って延びている。第二座補強杆４２は、面直方向に沿った断面（前後方向に沿った鉛直断面）において、前後方向に幅広な板状をなしている。
【００３４】
図３から図５に示すように、座上枠５０Ｕは、左右方向に（荷重支持面６０Ｕに沿って）離間して配置された一対の枠杆（支持部）５１と、枠杆５１の両端部どうしを連結する連結杆（連結部）５２と、を有している。枠杆５１と連結杆５２とは、例えば樹脂等で一体として形成され、張材６０（図１参照。以下同じ。）から作用する力に応じて弾性変形可能に構成されている。
【００３５】
図３に示すように、枠杆５１は、前後方向に沿って延びている。枠杆５１は、面直方向に沿った断面（左右方向に沿った鉛直断面）において、荷重支持面６０Ｕに沿うとともに左右方向に幅広な板状をなしている。
【００３６】
枠杆５１は、内縁（左右方向の内側の端部）５１J側に向かうにしたがって、面直方向の厚みが薄くなるように形成されている。また、枠杆５１の内縁５１Ｊは、下方に向かって傾斜している。
【００３７】
枠杆５１の外縁（左右方向の外側の端部）５１Ｋには、内方に向かって凹む溝５３が形成されている。溝５３に、張材６０の端部が巻き込まれている。
【００３８】
図４に示すように、連結杆５２は、左右方向に沿って延びている。連結杆５２は、面直方向に沿った断面（前後方向に沿った鉛直断面）において、前後方向に幅広な板状をなしている。
【００３９】
後側の連結杆５２は、後方に向かうにしたがって、次第に下方に向かうように傾斜している。
【００４０】
後側の連結杆５２は、内縁（前後方向の内側の端部）５２Ｊ側に向かうにしたがって、面直方向の厚みが薄くなるように形成されている。前側の連結杆５２の内縁５２Ｊには、水平面に沿って板状に延びる補強板部５４が設けられている。
【００４１】
補強板部５４は、左右方向の両端部がそれぞれ枠杆５１に連結されている。このため、着座者の身体から入力される荷重により、枠杆５１と連結杆５２との間の境界領域を含む座上枠５０Ｕの前部が、前方や下方に垂れ下がることが防止される。
【００４２】
補強板部５４の上面には、弾性を有するクッション体（不図示。以下同じ。）を載置することができる。これにより、座上枠５０Ｕに張設された張材６０の前部は、クッション体に支持されて上方に付勢される。着座者は、太腿を張材６０により柔軟に支持されて良好な座り心地を感じるとともに、大腿が連結杆５２の内周縁と直接接触しないため連結杆５２の硬さを感じて不快に感じることがない。
【００４３】
連結杆５２の外縁（前後方向の外側の端部）５２Ｋには、内方に向かって凹む溝５３が形成されている。溝５３に、張材６０の端部が巻き込まれている。
【００４４】
連結杆５２の内縁５２Ｊ側の下部には、第二座補強杆４２が設けられている。連結杆５２の両端部は、それぞれ第二座補強杆４２の端部と、螺子５２Ｘにより螺合されている。
【００４５】
連結杆５２の長さは、座下枠４０Ｄの第二座補強杆４２の長さよりも長い。これにより、連結杆５２の端部に連結された枠杆５１は、荷重支持面６０Ｕ側から荷重支持面６０Ｕを面直方向視して第二座補強杆４２の端部に連結された第一座補強杆４１よりも外側（左右方向の外側）に配置されている。
【００４６】
本実施形態では、連結杆５２の端部、第二座補強杆４２の端部及び螺子５２Ｘが、枠杆５１と第一座補強杆４１とを連結する連結体５を構成している。第一座補強杆４１の端部４１Ｅが先端側に向かうにしたがって次第に上方に向かって傾斜していることで、枠杆５１は第一座補強杆４１よりも上方に配置されている。
【００４７】
また、連結杆５２の端部は、左右方向の外側に向かうにしたがって次第に上方に向かって傾斜している。これにより、枠杆５１は、連結杆５２よりも上方に配置されている。
【００４８】
図１及び図２に示すように、背凭れ７は、背フレーム７０と、背フレーム７０に張設された張材９０と、を有している。張材９０の前面は、着座者の荷重を受ける荷重支持面９０Ｆとされている。
【００４９】
背フレーム７０は、支基２に連結された背後枠７０Ｂと、背後枠７０Ｂの前方に設けられた背前枠８０Ｆと、を有している。
【００５０】
背後枠７０Ｂは、下辺部７１と、側辺部（第一補強部）７２と、上辺部７３と、を有している。下辺部７１と側辺部７２と上辺部７３とは、例えばアルミ等の金属または所定の強度を有する樹脂等により一体に形成されている。
【００５１】
下辺部７１は、支基２内の傾動調整機構に連結され、支基２の後部の左右両側から延びている。下辺部７１は、上方に向かうにしたがって次第に後方に向かって傾斜されている。また、各下辺部７１には、側方に延びる肘掛け７４が設けられている。
【００５２】
各下辺部７１の上端部には、側辺部７２が連結されている。各側辺部７２は、上方に向かうにしたがって次第に左右方向の外側に向かって傾斜している。
【００５３】
側辺部７２の下部は、上方に向かうにしたがって次第に前方に向かって傾斜している。側辺部７２の上部は、上方に向かうにしたがって次第に後方に向かって傾斜している。各側辺部７２の上部どうしは、上辺部７３で連結されている。
【００５４】
図６は、図２のＡ−Ａ断面図である。図７は、図２のＢ−Ｂ断面図である。
図１、図２、図６及び図７に示すように、背前枠８０Ｆは、背後枠７０Ｂの側辺部７２の上部に連結された上部腕部（連結体）８１と、側辺部７２の下部に連結された下部腕部（連結体）８２と、左右方向に（荷重支持面６０Ｕに沿って）離間して配置された一対の縦杆（支持部）８６と、一対の縦杆８６の上端どうしを連結する上杆（連結部）８７と、を有している。上部腕部８１、下部腕部８２、縦杆８６及び上杆８７は、例えば樹脂等で一体として形成されている。縦杆８６及び上杆８７は、張材９０から作用する力に応じて弾性変形可能に構成されている。
【００５５】
図６に示すように、上部腕部８１は、背後枠７０Ｂの側辺部７２の上部にボルト８１Ｘにより固定されている。上部腕部８１は、背後枠７０Ｂの側辺部７２から前方に延びるとともに、前方に向かうにしたがって次第に左右方向の外側に延びている。
【００５６】
図７に示すように、背後枠７０Ｂの側辺部７２の下部には、固定コマ８３がボルト８３Ｘで固定されている。下部腕部８２は、固定コマ８３を外嵌している。下部腕部８２と固定コマ８３とは、抜け止めピン８４により固定されている。下部腕部８２は、背後枠７０Ｂの側辺部７２から前方に延びるとともに、前方に向かうにしたがって次第に左右方向の外側に延びている。
【００５７】
図１に示すように、縦杆８６は、上部で上部腕部８１が連結されるとともに、下部で下部腕部８２に連結されている。
【００５８】
図２に示すように、各縦杆８６は、上下方向に沿って延びている。詳細には、縦杆８６は、下方に向かうにしたがって次第に左右方向の内側に向かって傾斜している。一対の縦杆８６の下端どうしは、互いに連結されている。
【００５９】
図１に示すように、縦杆８６の下部８６Ａは、上方に向かうにしたがって次第に前方に向かって傾斜している。縦杆８６の上部は８６Ｂ、上方に向かうにしたがって次第に後方に向かって傾斜している。これにより、側面視において、下部８６Ａと上部８６Ｂとの境界部８６Ｃは、前方に突出する形状とされている。当該境界部８６Ｃの後面には、下部腕部８２が連結されている。
【００６０】
図６及び図７に示すように、縦杆８６は、荷重支持面９０Ｆ（図１参照）と直交する面直方向に沿った断面（左右方向に沿った水平断面）において、荷重支持面９０Ｆに沿うとともに左右方向に幅広な板状をなしている。
【００６１】
図７に示すように、縦杆８６の下部では、内縁（左右方向の内側の端部）８６Ｊ側に向かうにしたがって、面直方向の厚みが薄くなるように形成されている。
【００６２】
縦杆８６の外縁（左右方向の外側の端部）８６Ｋには、内方に向かって凹む溝８８が形成されている。溝８８に、張材９０の端部が巻き込まれている。
【００６３】
上部腕部８１及び下部腕部８２が前方に向かうにしたがって次第に左右方向の外側に延びていることで、縦杆８６は側辺部７２よりも左右方向の外側に配置されている。
【００６４】
次に、上記の椅子１００の座体４に、着座者が着座した際の座体４の変形について説明する。
まず、着座者が座体４の荷重支持面６０Ｕの左右方向（幅方向）の中央部における後部に着座する場合（以下、第一着座状態と称する。）について説明する。
【００６５】
荷重支持面６０Ｕは弾性変形可能な張材６０により構成されているため、着座者から作用する荷重により張材６０は下方に沈むように弾性変形する。
【００６６】
張材６０が張設された後側の連結杆５２は後方に向かうにしたがって次第に下方に向かうように傾斜しているため、当該連結杆５２は下方へ弾性変形しやすい。ここで、連結杆５２の下部には第二座補強杆４２が設けられているため、連結杆５２の左右方向の中央部の折れ曲がりは抑制される。
【００６７】
また、後側の連結杆５２の前端部における左右両側と、前側の連結杆５２の後端部における左右両側とは、それぞれ第一座補強杆４１で連結されている。このため、連結杆５２よりも左右方向の外側に配置された左右の枠杆５１は、連結杆５２に拘束され、後部から徐々に上方に弾性変形する。
【００６８】
次に、着座者が座体４の荷重支持面６０Ｕの左右方向（幅方向）の中央部且つ前後方向の中央部よりもやや前方に着座する場合（以下、第二着座状態と称する。）について説明する。
【００６９】
第二着座状態では、第一着座状態よりも着座位置が前方であるため、後側の連結杆５２の下方へ弾性変形量は第一着座状態の場合よりも小さい。
【００７０】
しかし、張材６０の面直方向に沿う断面視において板状をなす枠杆５１は、面直方向に弾性変形した張材６０に引っ張られることにより、着座者の身体側に立ち上がり、身体を側方から包み込むように弾性変形する。このとき、前後一対の連結杆５２は、枠杆５１の過剰な弾性変形を抑制する。
【００７１】
次に、着座者が背凭れ７に背中を当てた場合の背凭れ７の変形について説明する。
張材９０から構成される背凭れ７の荷重支持面９０Ｆに背中を当てた場合には、張材９０に作用する面直方向の荷重は座体４の荷重支持面６０Ｕに作用する荷重程大きくない。さらに、背中と当接するのは、側面視において前方に突出した境界部８６Ｃ近傍である。これらのことから、縦杆８６が張材９０に引っ張られることにより、着座者の身体側への立ち上がり、身体を側方から包み込むように弾性変形する。つまり、縦杆８６の上部どうしを連結する上杆８７や縦杆８６の下部どうしの連結部分等の部位の後方への弾性変形に起因することなく、縦杆８６は弾性変形する。このとき、上杆８７は、縦杆８６の過剰な弾性変形を抑制している。
【００７２】
このように、本発明における支持部を構成する座体４の座上枠５０Ｕにおける枠杆５１、及び本発明における支持部を構成する背凭れ７の背前枠８０Ｆにおける縦杆８６は、その断面形状や荷重支持面を構成する張材６０，９０の張力、座上枠５０Ｕを構成する他の部位、及び背前枠８０Ｆを構成する他の部位との係わり合いといった複合的な要因により、弾性変形が促進されるとともに、過剰な変形が抑制される。
【００７３】
このように構成された椅子１００では、座体４において、枠杆５１は第一座補強杆４１よりも上方に配置されている。よって、枠杆５１は、上記のように着座者から作用する荷重により、当該枠杆５１と第一座補強杆４１との上下方向の離間距離に対応して、着座者の身体に追従するように弾性変形する。また、枠杆５１は荷重支持面６０Ｕ側から荷重支持面６０Ｕを面直方向視して第一座補強杆４１よりも外側に配置されているため、枠杆５１は張材６０に引っ張られて、荷重支持面６０Ｕの中央側に変位するとともに着座者の身体側に立ち上がり身体を側方から包み込むように変位する。したがって、着座者は、安定した状態で着座することができる。
【００７４】
また、背凭れ７において、縦杆８６は、縦杆８６は側辺部７２よりも前方に配置されている。よって、縦杆８６は、着座者から作用する荷重により、当該縦杆８６と側辺部７２との前後方向の離間距離に対応して、着座者の身体に追従するように弾性変形する。また、縦杆８６は荷重支持面９０Ｆ側から荷重支持面９０Ｆを面直方向視して側辺部７２よりも外側に配置されているため、縦杆８６は張材９０に引っ張られて、荷重支持面９０Ｆの中央側に変位するとともに着座者の身体側に立ち上がり身体を側方から包み込むように変位する。したがって、着座者は、安定した状態で着座することができる。
【００７５】
また、着座者が張材６０，９０の荷重支持面６０Ｕ，９０Ｆの中央からずれた位置に着座しても、枠杆５１、縦杆８６自体が弾性変形して撓むため、枠杆５１、縦杆８６自体の硬さを感じて不快感を呈することがない。
【００７６】
また、座体４において、枠杆５１の両端部はそれぞれ、該枠杆５１に沿って配置された第一座補強杆４１の両端部４１Ｅと連結杆５２の端部、第二座補強杆４２の端部及び螺子５２Ｘを介して連結されている。よって、枠杆５１は、延在方向（前後方向）にわたって第一座補強杆４１で支持されるため、過剰な変位が抑制される。
【００７７】
また、背凭れ７において、縦杆８６の両端部側はそれぞれ、該縦杆８６に沿って配置された側辺部７２の両端部側と上部腕部８１及び下部腕部８２で連結されている。よって、縦杆８６は、延在方向（上下方向）にわたって側辺部７２で支持されるため、過剰な変位が抑制される。
【００７８】
また、枠杆５１及び縦杆８６はそれぞれ荷重支持面６０Ｕ，９０Ｆの面直方向を厚さ方向とする板状に形成されているため、枠杆５１及び縦杆８６自体が荷重支持面６０Ｕ，９０Ｆに沿って変形しやすい。よって、枠杆５１及び縦杆８６は張材６０，９０に引っ張られて、着座者の身体側に立ち上がり身体を側方から包み込むように、一層変位しやすい。
【００７９】
また、枠杆５１及び縦杆８６は内縁側に向かうにしたがって面直方向の厚みが薄くなるように形成されている。よって、枠杆５１及び縦杆８６において、内縁側では張材６０に引っ張られて荷重の入力方向（枠杆５１ならば下方、縦杆８６ならば後方）に変位するとともに、外縁側では内縁側の変位にともなって立ち上がる方向（枠杆５１ならば上方、縦杆８６ならば前方）に変位しやすい。
【００８０】
また、座体４において、一対の枠杆５１の両端部どうしは連結杆５２で連結されているため、枠杆５１の過剰な変位がより一層抑制される。
【００８１】
また、座体４において、連結杆５２の下部には第二座補強杆４２が設けられているため、連結杆５２を強固に補強することができる。よって、着座者からの荷重により、連結杆５２の撓みを抑えつつ、連結杆５２に連結された枠杆５１を確実に撓ませることができる。
【００８２】
また、座体４において、第一座補強杆４１及び第二座補強杆４２により環状に形成されるため、剛性が高められ、枠杆５１を安定的に支持することができる。
【００８３】
また、上述した実施の形態において示した各構成部材の諸形状や組み合わせ等は一例であって、本発明の主旨から逸脱しない範囲において設計要求等に基づき種々変更可能である。
【００８４】
例えば、上記に示す実施形態では、座体４及び背凭れ７の両方が、本発明にかかる椅子用荷重支持構造体で構成されているが、本発明はこれに限られず、少なくともいずれか一方のみが本発明の椅子用荷重支持構造体で構成されていればよい。
【００８５】
また、上記に示す実施形態では、枠杆５１及び縦杆８６は、それぞれ荷重支持面６０Ｕ，９０Ｆに沿う板状に形成されているが、本発明はこれに限られず、板状に形成されていなくてもよい。
【００８６】
また、上記に示す実施形態では、座下枠４０Ｄと座上枠５０Ｕとは別体として構成されているが、本発明にこれに限られず、座下枠４０Ｄと座上枠５０Ｕが一体的に形成されていてもよい。この場合、樹脂の二色成形等の手段を採用することにより、座下枠４０Ｄ及び座上枠５０Ｕのそれぞれの強度を異ならせることも可能であり、あるいは双方の強度を同一とすることも可能である。双方の強度が同一の場合には、座下枠４０Ｄが座受け部材３に支持されることにより、座下枠４０Ｄにおける第一座補強杆４１及び第二座補強杆４２がそれぞれ第一補強部及び第二補強部として機能する。
【符号の説明】
【００８７】
１…脚部
２…支基
３…座受け部材
４…座体（椅子用荷重支持構造体）
５…連結体
７…背凭れ（椅子用荷重支持構造体）
３０…支持体
４０…座フレーム
４０Ｄ…座下枠
４１…第一座補強杆（第一補強部）
４２…第二座補強杆（第二補強部）
５０Ｕ…座上枠
５１…枠杆（支持部）
５２…連結杆（連結部）
６０…張材
６０Ｕ…荷重支持面
７０…背フレーム
７０Ｂ…背後枠
７１…下辺部
７２…側辺部（第一補強部）
７３…上辺部
８０Ｆ…背前枠
８１…上部腕部（連結体）
８２…下部腕部（連結体）
８６…縦杆（支持部）
８７…上杆（連結部）
９０…張材
１００…椅子
【図１】
0006742163.tif 000002
【図２】
0006742163.tif 000003
【図３】
0006742163.tif 000004
【図４】
0006742163.tif 000005
【図５】
0006742163.tif 000006
【図６】
0006742163.tif 000007
【図７】
0006742163.tif 000008